(57)【要約】【課題】光ディスク回転駆動機構の駆動により光ディスクが回転する際に生じる騒音、振動等を抑制することのできるディスク装置を提供すること。【解決手段】本発明のディスク装置１は、金属板で構成された外装ケース２５を有する装置本体２と、装置本体２に光ディスクを装填・排出するディスクトレイと、装置本体２内で変位可能に設置されたシャーシと、このシャーシに搭載され、光ディスクを装着するターンテーブルを有し、前記シャーシの変位により上下に移動する光ディスク回転駆動機構と、外装ケース２５の天板２３に対し回転可能に設置され、ターンテーブルとの間で光ディスクを挟持するディスククランパとを備えている。外装ケース２５は、少なくとも一つの面に、金属板が二重になるとともに粘着剤や接着剤を含む粘接着剤層１０を介して互いに接合された二重部分１８を有し、二重部分１８の面積は、当該面の投影面積の１５％以上を占めている。【選択図】図１
2005038548.tif 000002
【特許請求の範囲】
【請求項１】
光ディスクに記録された情報を再生する機能を有するディスク装置であって、
金属板で構成された外装ケースを有する装置本体と、
前記装置本体に光ディスクを装填する装填位置と、該装填位置より前側の、光ディスクを排出する排出位置とに移動可能なディスクトレイと、
前記装置本体内で変位可能に設置されたシャーシと、
前記シャーシに搭載され、光ディスクを装着するターンテーブルを有し、前記シャーシの変位により前記装置本体内で上昇位置と下降位置とに移動する光ディスク回転駆動機構と、
前記外装ケースの天板に対し回転可能に設置され、前記光ディスク回転駆動機構が前記上昇位置に移動したとき前記ターンテーブルとの間で光ディスクを挟持するディスククランパとを備え、
前記外装ケースは、少なくとも一つの面に、金属板が二重になるとともに粘着剤および／または接着剤を含む粘接着剤層を介して互いに接合された二重部分を有し、
前記二重部分の面積は、当該面の投影面積の１５％以上を占めていることを特徴とするディスク装置。
【請求項２】
前記天板には、開口が形成され、前記ディスククランパは、前記開口に設置されており、
前記外装ケースは、前記粘接着剤層を介して前記天板の外側に重ねて設置され、前記開口を含む領域を覆って前記ディスククランパを保護する保護板を有し、
前記天板と前記保護板とが前記粘接着剤層を介して接合された部分により、前記二重部分が構成されている請求項１に記載のディスク装置。
【請求項３】
前記天板は、前記開口の縁部付近が内側に窪んだ形状をなしている請求項２に記載のディスク装置。
【請求項４】
前記粘接着剤層は、両面粘着シートで構成されている請求項１ないし３のいずれかに記載のディスク装置。
【請求項５】
前記粘接着剤層は、基材、及び粘接着剤層の総厚が０．０４〜０．５ｍｍである請求項１ないし４のいずれかに記載のディスク装置。
【発明の詳細な説明】
【技術分野】
【０００１】
本発明は、光ディスクを再生、または記録／再生するディスク装置に関する。
【背景技術】
【０００２】
ＣＤ−ＲＯＭ、ＣＤ−Ｒ、ＣＤ−ＲＷ、ＤＶＤ等の光ディスクを再生、または記録／再生するディスク装置が知られている。このディスク装置は、箱状の装置本体と、該装置本体に対し移動可能なディスクトレイとを有し、光ディスクは、ディスクトレイに収納され、ディスクトレイの移動により装置本体に装填される。装置本体内部には、ターンテーブルを有する光ディスク回転駆動機構が搭載されたシャーシが上下動可能に設置されている。また、装置本体の天板には、ディスククランパが回転可能に設置されている（例えば、特許文献１参照）。
【０００３】
装置本体に光ディスクが装填されると、シャーシとともにターンテーブルが上昇することにより、ターンテーブルに光ディスクが装着され、さらに、ディスククランパがターンテーブルとの間で光ディスクを挟持する。この状態で、光ディスク回転駆動機構の駆動により、ターンテーブルが回転し、それに伴い、光ディスクおよびディスククランパが回転する。
【０００４】
さて、このようなディスク装置では、光ディスク回転駆動機構の駆動により光ディスクが回転する際、その回転等により振動が発生し、騒音を招くという問題があった。また、その振動がディスク装置の付近に存在する機器に伝わり、悪影響を与えるおそれがあった。
【０００５】
【特許文献１】実開平７−４１７３６号公報
【発明の開示】
【発明が解決しようとする課題】
【０００６】
本発明の目的は、光ディスク回転駆動機構の駆動により光ディスクが回転する際に生じる騒音、振動等を抑制することのできるディスク装置を提供することにある。
【課題を解決するための手段】
【０００７】
このような目的は、下記（１）〜（５）の本発明により達成される。
（１）  光ディスクに記録された情報を再生する機能を有するディスク装置であって、
金属板で構成された外装ケースを有する装置本体と、
前記装置本体に光ディスクを装填する装填位置と、該装填位置より前側の、光ディスクを排出する排出位置とに移動可能なディスクトレイと、
前記装置本体内で変位可能に設置されたシャーシと、
前記シャーシに搭載され、光ディスクを装着するターンテーブルを有し、前記シャーシの変位により前記装置本体内で上昇位置と下降位置とに移動する光ディスク回転駆動機構と、
前記外装ケースの天板に対し回転可能に設置され、前記光ディスク回転駆動機構が前記上昇位置に移動したとき前記ターンテーブルとの間で光ディスクを挟持するディスククランパとを備え、
前記外装ケースは、少なくとも一つの面に、金属板が二重になるとともに粘着剤および／または接着剤を含む粘接着剤層を介して互いに接合された二重部分を有し、
前記二重部分の面積は、当該面の投影面積の１５％以上を占めていることを特徴とするディスク装置。
【０００８】
（２）  前記天板には、開口が形成され、前記ディスククランパは、前記開口に設置されており、
前記外装ケースは、前記粘接着剤層を介して前記天板の外側に重ねて設置され、前記開口を含む領域を覆って前記ディスククランパを保護する保護板を有し、
前記天板と前記保護板とが前記粘接着剤層を介して接合された部分により、前記二重部分が構成されている上記（１）に記載のディスク装置。
【０００９】
（３）  前記天板は、前記開口の縁部付近が内側に窪んだ形状をなしている上記（２）に記載のディスク装置。
【００１０】
（４）  前記粘接着剤層は、両面粘着シートで構成されている上記（１）ないし（３）のいずれかに記載のディスク装置。
【００１１】
（５）  前記粘接着剤層は、基材、及び粘接着剤層の総厚が０．０４〜０．５ｍｍである上記（１）ないし（４）のいずれかに記載のディスク装置。
【発明の効果】
【００１２】
本発明によれば、光ディスク回転駆動機構の駆動により光ディスクが回転する際に生じる騒音、振動等の振動エネルギーを、外装ケースに設置された二重部分が熱エネルギーに変換することによって、このような騒音、振動等を抑制することができる。
【発明を実施するための最良の形態】
【００１３】
以下、本発明のディスク装置を添付図面に示す好適な実施形態に基づいて詳細に説明する。
【００１４】
図１は、本発明のディスク装置の実施形態を示す平面図、図２は、図１に示すディスク装置の内部構造を示す平面図、図３は、図１に示すディスク装置を示す断面側面図、図４は、図１に示すディスク装置におけるディスククランパおよびターンテーブルの付近を示す部分断面側面図、図５は、図４中の［Ａ］の部分の拡大詳細図である。なお、以下では、説明の都合上、特に述べない限り、図３および図４中の左方を「前」、右方を「後」、上方を「上」、下方を「下」として説明する。
【００１５】
これらの図に示すディスク装置１は、音楽用ＣＤ、ＣＤ−ＲＯＭ、ＣＤ−Ｒ、ＣＤ−ＲＷ、ＤＶＤ等の光ディスク２００に記録された情報を再生する機能（または記録／再生する機能）を有する装置であって、例えばパソコンのようなコンピュータ装置（図示せず）の本体に対し設置されるものである。
【００１６】
これらの図に示すように、ディスク装置１は、外装ケース２５を有する装置本体２と、光ディスク２００を載置し、装置本体２に対し前後方向に移動するディスクトレイ１１と、装置本体２内に設置されたスレッドメカユニット３とを備えている。以下、各部の構成について説明する。
【００１７】
図１ないし図３に示すように、装置本体２は、フレーム２１と、フレーム２１を覆うように、金属板で構成された外装ケース２５とを有している。
【００１８】
外装ケース２５は、フレーム２１の下部および側部を覆うケーシング２２と、フレーム２１の上部を覆う天板（蓋体）２３とを有している。
【００１９】
フレーム２１には、ディスクトレイ１１、ディスクトレイ移動機構１６、スレッドメカユニット３、メイン回路基板１２等が設置（搭載）されている。
【００２０】
フレーム２１には、ケーシング２２が例えばビス止めにより固定されており、フレーム２１の下部は、ケーシング２２の底板２２１により覆われている。また、フレーム２１の上部には、天板２３が例えばビス止めにより固定され、フレーム２１と天板２３との間にディスクトレイ１１を収納する空間が形成される。
【００２１】
なお、フレーム２１およびディスクトレイ１１は、それぞれ、樹脂材料で成形されたものである。また、ケーシング２２および天板２３は、それぞれ、金属板をプレス成形等により所定に変形させてなる板状部材である。
【００２２】
天板２３の後述するターンテーブル５２に対向する位置には、ディスククランパ８が回転可能に設置されている。
【００２３】
メイン回路基板１２には、ディスク装置１の諸動作を制御する回路が形成されているとともに、前記コンピュータ装置の本体と接続するためのインターフェイスコネクタや、マイクロプロセッサ、メモリ、モータドライバなどの各種ＩＣや、抵抗、コンデンサ、スイッチなどの各種電子部品が搭載されている。図３に示すように、メイン回路基板１２は、後述するスレッドメカユニット３（シャーシ４）の下側に設置されている。
【００２４】
ディスクトレイ１１は、浅い凹状のディスク収納部１１１を有しており、光ディスク２００は、このディスク収納部１１１に収納された状態で搬送される。
【００２５】
ディスクトレイ１１は、フレーム２１に搭載されたディスクトレイ移動機構１６の駆動により、装置本体２に対し前後方向に移動（摺動）する。すなわち、ディスクトレイ１１は、装置本体２に対し、光ディスク２００を装填する装填位置（図３に示す位置）と、光ディスク２００を排出する排出位置（図示せず）とに移動可能になっている。ディスクトレイ１１が装填位置にある状態（以下、「装填状態」と言う）では、ディスクトレイ１１は、その全体が装置本体２に収納される。ディスクトレイ１１が排出位置にある状態（以下、「排出状態」と言う）では、ディスクトレイ１１は、その大半が装置本体２より前方に突出する。
【００２６】
図２に示すように、装置本体２の内部には、スレッドメカユニット３を支持する枠部材１３が設置されている。枠部材１３は、ほぼ長方形の枠状をなしており、その後端部には、軸１３１が両側にそれぞれ突出形成されている。軸１３１は、フレーム２１に形成された受け部に回動可能に支持されている。これにより、枠部材１３は、装置本体２に対し軸１３１を中心として回動可能になっている。
【００２７】
枠部材１３は、駆動機構１７の駆動により、装填状態では天板２３および底板２２１とほぼ平行な姿勢となり（図３参照）、排出状態ではその前方側が下方向に変位して天板２３および底板２２１に対し傾斜した姿勢となるように変位する。
【００２８】
枠部材１３の内側には、スレッドメカユニット３が位置している。スレッドメカユニット３は、主に、シャーシ４と、光ディスク回転駆動機構５と、光ピックアップ（光学ヘッド）６と、光ピックアップ移動機構７とで構成されている。
【００２９】
シャーシ４は、縁部にリブ（壁部）が形成されたほぼ板状の形状をなしており、このシャーシ４に光ディスク回転駆動機構５と、光ピックアップ６と、光ピックアップ移動機構７とがそれぞれ設置（搭載）されている。
【００３０】
シャーシ４は、３個のゴムブッシュ（弾性部材）１４を介して枠部材１３に固定されている。すなわち、シャーシ４は、装置本体２に対しゴムブッシュ１４を介して支持されている。このゴムブッシュ１４により、振動や衝撃を吸収することができる。
【００３１】
光ディスク回転駆動機構５は、スピンドルモータ５１と、該スピンドルモータ５１のロータ５１１に固定されたターンテーブル５２とを有しており、シャーシ４の前側に設置されている。光ディスク回転駆動機構５は、ターンテーブル５２に光ディスク２００を装着（載置）して、この光ディスク２００を回転駆動するものである。
【００３２】
光ピックアップ６は、対物レンズ６１と、該対物レンズ６１を光軸方向（フォーカシング）および光ディスク２００の半径方向（トラッキング）に駆動するアクチュエータ６２と、レーザ光源と、集光光学系と、ビームスプリッタ（またはハーフミラー）と、情報検出用およびフォーカシング信号、トラッキング信号検出用の受光素子と、これらを支持する支持部材６３とを備え、光ディスク２００の記録面へ照射されたレーザ光の反射光を、対物レンズ、ビームスプリッタ（またはハーフミラー）等を介して受光素子へ導く構成のものである。
【００３３】
対物レンズ６１は、装填状態では、ディスクトレイ１１に形成された開口１１２よりディスク収納部１１１内に露出し、光ディスク２００の記録面と対面する。
【００３４】
支持部材６３は、例えばダイキャストで製造されるような金属材料で構成されている。支持部材６３の図２中の左側には、ガイドシャフト７６を挿通する孔が形成された一対の摺動部６４が形成されている。また、支持部材６３の図２中の右側には、ガイドシャフト７７に係合し、このガイドシャフト７７に沿って摺動する摺動部６５が形成されている。
【００３５】
光ピックアップ移動機構７は、正転／逆転可能なスレッドモータ７１と、該スレッドモータ７１の回転軸に固定されたウォーム７２と、該ウォーム７２に噛合する大径ギア７３と、大径ギア７３に固定されかつ同軸で回転する小径ギア７４と、支持部材６３に固定され、小径ギア７４と噛合するラックギア７５と、支持部材６３の移動経路を規定し、これを案内する一対のガイドシャフト７６および７７とで構成されている。
【００３６】
スレッドモータ７１が駆動すると、その回転力がウォーム７２、大径ギア７３、小径ギア７４およびラックギア７５に順次伝達され、支持部材６３がガイドシャフト７６、７７に沿って光ディスク２００の径方向（半径方向）に所定の移動範囲内で移動する。この場合、スレッドモータ７１の回転方向により、支持部材６３は、光ディスク２００の回転中心に接近する方向または回転中心から遠ざかる方向に移動する。
【００３７】
シャーシ４（スレッドメカユニット３）は、枠部材１３と共に装置本体２に対し回動する。図３に示すように、この回動中心である軸１３１は、シャーシ４の後端付近に位置する。すなわち、シャーシ４の後端は、回動中心となり装置本体２に対しほぼ変位しない回動端４１であり、シャーシ４の前端は、装置本体２に対しほぼ上下方向に変位する変位端４２になっている。
【００３８】
このような構成により、シャーシ４（スレッドメカユニット３）は、装填状態では、変位端４２側が上昇して、天板２３および底板２２１にほぼ平行な姿勢になり（図３参照）、排出状態では、変位端４２側が下降して、天板２３および底板２２１に対し傾斜した姿勢になる。これに伴って、光ディスク回転駆動機構５は、装置本体２内で上昇位置（図３に示す位置）と下降位置とに移動する。
【００３９】
光ディスク回転駆動機構５が下降位置にあるときには、ターンテーブル５２は、ディスクトレイ１１の下側に位置し、排出位置に移動するディスクトレイ１１と干渉しないようになっている。
【００４０】
光ディスク回転駆動機構５が上昇位置にあるときには、ターンテーブル５２は、開口１１２よりディスク収納部１１１内に突出（露出）し、これにより、装置本体２内に装填された光ディスク２００がターンテーブル５２に装着（載置）される。この状態では、ディスククランパ８がターンテーブル５２に設置された磁石（図示せず）に吸着され、これにより、光ディスク２００がターンテーブル５２とディスククランパ８との間で挟持される（図３および図４参照）。
【００４１】
以下、ターンテーブル５２、ディスククランパ８等の構成について、詳細に説明する。
図４に示すように、ターンテーブル５２は、その中心部に形成された孔５２２にスピンドルモータ５１の回転軸５１２が嵌入した状態で、スピンドルモータ５１のロータ５１１に固定（固着）されている。回転軸５１２は、孔５２２の途中まで挿入しており、孔の残りの部分により、ターンテーブル５２の中心部に、凹部５２５が形成されている。
【００４２】
ターンテーブル５２は、全周に渡り外周側に突出する円板状のフランジ部５２３を有しており、このフランジ部５２３上に光ディスク２００が載置される。
【００４３】
また、ターンテーブル５２は、フランジ部５２３の中央部から突出する略円錐台状の突出部５２４を有している。フランジ部５２３上に光ディスク２００が載置された状態では、光ディスク２００の中心部に形成された孔２０１に突出部５２４がほぼ隙間なく挿入することにより、光ディスク２００がターンテーブル５２と中心を合わせてターンテーブル５２に装着される。
【００４４】
突出部５２４の上面内部には、図示しないリング状（円環状）の磁石（永久磁石）が埋入した状態で設置されている。なお、この磁石は、ディスククランパ８側に設置されていてもよい。
【００４５】
天板２３のターンテーブル５２に対向する部分は、内面側に盛り上がるように成形されており、この内面側に盛り上がった部分は、ディスククランパ８が設置される設置部２３１になっている。この設置部２３１には、ディスククランパ８が設置され得るようなほぼ円形の開口（孔）２３２が形成されている。
【００４６】
すなわち、天板２３は、開口２３２の縁部付近が内側に窪んだ形状をなしている。なお、この窪み２３４の深さは、ディスククランパ８の高さよりも大きいことが好ましい。これにより、ディスククランパ８が外装ケース２５の最大外形から突出することを防止することができる。
【００４７】
図４に示すように、ディスククランパ８は、天板２３の内面側に露出し、光ディスク２００に接触するほぼ円盤状（円板状）の第１の部材８１と、該第１の部材８１の上側に同心的に固定されたほぼ円盤状（円板状）の第２の部材８２と、第１の部材８１と第２の部材８２とで挟持された円板状の金属部材８３とで構成されている。第１の部材８１および第２の部材８２は、好ましくは樹脂材料により成形されたものである。
【００４８】
このディスククランパ８では、第１の部材８１の上側の部分と、第２の部材８２の下側の部分とにより、短い円柱状（円筒状）の胴部８４が形成されている。胴部８４の直径（外径）は、開口２３２の直径（内径）より小さくなっており、ディスククランパ８は、胴部８４が開口２３２に遊嵌（隙間のある状態で挿入）することにより、遊びを持った状態で設置されている。これにより、ディスククランパ８は、天板２３に対し、その半径方向の全方向に移動可能になっている。
【００４９】
第２の部材８２の胴部８４を構成する部分には、その直径がディスクトレイ１１に近づく方向、すなわち下方向に向かって漸減するテーパ部８２２が形成されている。
【００５０】
第２の部材８２（胴部８４）の上端部には、全周に渡り外周側に突出するフランジ部（係合部）８２１が形成されている。このフランジ部８２１の外径は、開口２３２の直径より大きくなっており、よって、フランジ部８２１は、開口２３２を通過し得ないものとなっている。ターンテーブル５２が上昇していない状態では、ディスククランパ８は、開口２３２の周囲の天板２３（設置部２３１）の外面にフランジ部８２１が係合することにより、天板２３に支持される。なお、フランジ部８２１のような係合部は、全周に渡りリング状に突出するものに限らず、開口２３２を通過し得ない形状であれば、例えば、周方向に沿って間欠的に形成された爪部のようなものであってもよい。
【００５１】
第１の部材８１の下端部には、胴部８４より直径の大きい円板状の当接部８１１が形成されている。図４に示すように、ターンテーブル５２とディスククランパ８とで光ディスク２００を挟持する状態では、この当接部８１１の少なくとも一部が光ディスク２００に当接する。当接部８１１の外周付近の部分は、上側に屈曲しており、スカート状になっている。
【００５２】
ディスククランパ８は、胴部８４の長さの範囲で、天板２３に対しその回転軸方向（上下方向）に移動可能になっている。
【００５３】
ディスククランパ８の下面の中央部には、ほぼ円錐台状の凹部８５が形成されている。凹部８５の底部の中心部からは、第２の部材８２と一体的に形成された位置決めボス８６が突出している。また、凹部８５の底部（底面）には、金属部材８３が露出している。
【００５４】
図４に示す状態（以下、「クランプ状態」と言う）では、ターンテーブル５２の突出部５２４が凹部８５に挿入し嵌合するとともに、位置決めボス８６が凹部５２５に挿入し嵌合する。これにより、ディスククランパ８の中心とターンテーブル５２の中心とが一致した状態が得られる。また、クランプ状態では、前記磁石が金属部材８３を磁気吸引することにより、ディスククランパ８がターンテーブル５２に引き付けられ（吸着され）、両者の間で光ディスク２００を挟持する。
【００５５】
また、クランプ状態では、ディスククランパ８は、ターンテーブル５２によって持ち上げられるようにして少し上方に移動し、フランジ部８２１が天板２３の設置部２３１の外面から離間した状態になる。この状態では、図示の構成では、テーパ部８２２の下端部付近が設置部２３１の高さに位置する。
【００５６】
さて、このようなディスク装置１では、図１、図４および図５に示すように、外装ケース２５は、金属板が二重になるとともに粘着剤を含む粘接着剤層１０を介して互いに接合された二重部分１８を天面に有している。なお、図１中のクロスハッチング部は、この二重部分１８を表し、ハッチング部は、後述する保護板（金属板）９が天板２３に接合されていない部分を表している。また、図４中では、図１中の前記ハッチング部に相当する部分に粘接着剤層１０が存在するが、特に存在しなくてもよい。
【００５７】
本実施形態では、図４に示すように、天板２３の窪み２３４の外周部には、凹部２３３が形成されている。この凹部２３３は、保護板（金属板）９により塞がれており、その保護板９は、粘着剤にて天板２３の外側（凹部２３３の底面）に重ねて接合（設置）されている。
【００５８】
なお、保護板９は、開口２３２を含む領域を覆ってディスククランパ８を保護しているものである。
【００５９】
また、本実施形態のような場合、改めて別部材を設けて二重部分１８を形成させる必要がなく、既存部材を用いて形成させることができる。従って、外装ケース２５の部品点数を削減することができる。
【００６０】
また、二重部分１８の面積（クロスハッチング部の面積）は、二重部分１８が設けられる外装ケース２５の面の投影面積の１５％以上を占めている。また、その二重部分１８の面積は、２５％以上であるのがより好ましく、３５〜９９％であるのがさらに好ましい。本実施形態では、二重部分１８の面積は、天板２３を構成している面の投影面積の４１％を占めている。
【００６１】
また、保護板９の大きさをより大きくすることにより、外装ケース２５の重量が増大するとともに、金属板が二重になる部分の面積が大きくなり、より効果的に振動（騒音）を低減することができる。
【００６２】
また、粘接着剤層１０は、両面粘着シートで構成されている。これにより、比較的容易に保護板９を天板２３（凹部２３３）に接合することができる。
【００６３】
光ディスク回転駆動機構５の駆動により光ディスク２００が回転する際、このような二重部分１８によって、外装ケース２５に生じる振動（騒音）を抑制することができる。すなわち、粘接着剤層１０が振動を受けた際、曲げ振動により剪断変形を繰返し、振動エネルギーが熱エネルギーに変換する。これにより、このような振動を抑制することができる。
【００６４】
そこで、以上のような二重部分１８を有するディスク装置１および二重部分１８を実質的に有さないディスク装置のそれぞれの装置について、以下に示す測定を行った。
【００６５】
まず、光ディスク２００をそれぞれのディスク装置に装填し、光ディスク回転駆動機構５の駆動により、この光ディスク２００を４８倍速で一定に回転させる。
【００６６】
次いで、これらのディスク装置から生じる騒音の周波数とその周波数に対応する音圧レベルを測定したところ、二重部分１８を有するディスク装置１の方が他方のディスク装置に比べ、９．５ｋＨｚをピークとして、低域側および高域側ともに３〜８ｄＢ音圧レベルが低減した。すなわち、二重部分１８により、外装ケース２５の振動（騒音）を抑制することができた。
【００６７】
なお、二重部分１８は、本実施形態のように、天面（頂面）に設けられていることに限定されず、外装ケース２５の少なくとも一つの面に設けられていればよい。例えば、ケーシング２２の底面に設けてもよいし、外装ケース２５の側面に設けてもよい。これにより、同様の効果を得ることができる。
【００６８】
以上、本発明のディスク装置を図示の実施形態について説明したが、本発明は、これに限定されるものではなく、ディスク装置を構成する各部は、同様の機能を発揮し得る任意の構成のものと置換することができる。また、任意の構成物が付加されていてもよい。
【００６９】
また、粘接着剤層は、粘着剤を含むものに限定されない。例えば、接着剤を含んでいてもよいし、粘着剤および接着剤の両方を含んでいてもよい。
【００７０】
また、粘接着剤層は、基材、及び粘接着剤層の総厚が０．０４〜０．５ｍｍであるのが好ましく、０．０４〜０．２ｍｍであるのがより好ましい。これにより、より効果的に振動を抑制することができる。
【図面の簡単な説明】
【００７１】
【図１】本発明のディスク装置の実施形態を示す平面図である。
【図２】図１に示すディスク装置の内部構造を示す平面図である。
【図３】図１に示すディスク装置を示す断面側面図である。
【図４】図１に示すディスク装置におけるディスククランパおよびターンテーブルの付近を示す部分断面側面図である。
【図５】図４中の［Ａ］の部分の拡大詳細図である。
【符号の説明】
【００７２】
１            ディスク装置
１１          ディスクトレイ
１１１        ディスク収納部
１１２        開口
１２          メイン回路基板
１３          枠部材
１３１        軸
１４          ゴムブッシュ
１６          ディスクトレイ移動機構
１７          駆動機構
１８          二重部分
２            装置本体
２１          フレーム
２２          ケーシング
２２１        底板
２３          天板
２３１        設置部
２３２        開口
２３３        凹部
２３４        窪み
２５          外装ケース
３            スレッドメカユニット
４            シャーシ
４１          回動端
４２          変位端
５            光ディスク回転駆動機構
５１          スピンドルモータ
５１１        ロータ
５１２        回転軸
５２          ターンテーブル
５２２        孔
５２３        フランジ部
５２４        突出部
５２５        凹部
６            光ピックアップ
６１          対物レンズ
６２          アクチュエータ
６３          支持部材
６４、６５    摺動部
７            光ピックアップ移動機構
７１          スレッドモータ
７２          ウォーム
７３          大径ギア
７４          小径ギア
７５          ラックギア
７６、７７    ガイドシャフト
８            ディスククランパ
８１          第１の部材
８１１        当接部
８２          第２の部材
８２１        フランジ部
８２２        テーパ部
８３          金属部材
８４          胴部
８５          凹部
８６          位置決めボス
９            保護板
１０          粘接着剤層
２００        光ディスク
２０１        孔
【図１】
2005038548.tif 000003
【図２】
2005038548.tif 000004
【図３】
2005038548.tif 000005
【図４】
2005038548.tif 000006
【図５】
2005038548.tif 000007